(57)【要約】  【課題】  地色がある原稿についても正確なサイズを検知でき、プラテンカバーが開いている場合でも、原稿の正確なサイズを検知できて、スカイショットを実行できる画像処理装置を提供する  【解決手段】  原稿Ｄがプラテンガラス１に載置されると、露光ランプ１１ａを点灯させずに、カラーセンサ１５にて原稿Ｄのサイズを検知する。プラテンカバー２を開けた状態で露光ランプ１１ａを点灯させ、カラーセンサ１５にて原稿Ｄのサイズを検知する。露光ランプ１１ａ非点灯時のサイズ検知結果と露光ランプ１１ａ点灯時のサイズ検知結果とが一致する場合に、原稿領域外の白マスク処理（スカイショット）を行う。【選択図】      図１
2006313967.tif 000002
【特許請求の範囲】
【請求項１】
原稿台に載置された原稿に光源から光を照射して原稿の画像を読み取り、原稿の領域外に白マスク処理を行う画像処理装置において、原稿のサイズを検知するためのカラーセンサと、前記光源の点灯前に前記カラーセンサで得られた第１検知結果、及び、前記光源の点灯後に前記カラーセンサで得られた第２検知結果の比較結果に基づいて、原稿の領域外の白マスク処理の可否を制御する制御手段とを備えることを特徴とする画像処理装置。
【請求項２】
前記制御手段は、前記第１検知結果及び第２検知結果が一致する場合に、白マスク処理を可とするようにしてあることを特徴とする請求項１記載の画像処理装置。
【請求項３】
原稿台に載置された原稿を覆う開閉自在のカバー体を備えており、前記カバー体が開いている状態で、前記カラーセンサは原稿のサイズを検知するようにしてあることを特徴とする請求項１または２記載の画像処理装置。
【発明の詳細な説明】
【技術分野】
【０００１】
本発明は、画像処理装置に関し、特に、原稿の領域外に白マスク処理を行う画像処理装置に関するものである。
【背景技術】
【０００２】
ＦＢＳ（Flat Bed Scanner）タイプの読み取り手段を有する複写機、ファクシミリ機、複合機などの画像処理装置にあっては、原稿台（フラットベッド）に原稿を載置し、カバー体（プラテンカバー）で被った後、光源から原稿に光を照射してその反射光をＣＣＤで受光し、その受光結果から画像信号を取得している。このような原稿の読み取り走査の前に、原稿台に載置された原稿のサイズを検知する処理が行われる。
【０００３】
この場合、マルチビームセンサにより、フラットベッドに載置された原稿の副走査方向のサイズを検知している。また、原稿の主走査方向のサイズは、画像読み取り用のＣＣＤを用いて検知している。つまり、プラテンカバーを閉じる直前に光源を点灯させて、ＣＣＤの出力値を取り込み、その出力値に基づいて原稿の主走査方向のサイズを検知する。
【０００４】
そして、このような原稿の主走査方向及び副走査方向のサイズの検知結果に基づいて原稿の範囲を検出し、原稿範囲外の領域に白マスク処理を施すことにより、記録した用紙の一部が黒くプリントされることを防止する技術が知られている（例えば、特許文献１参照）。
【特許文献１】特開平１−１０６６６８号公報
【発明の開示】
【発明が解決しようとする課題】
【０００５】
従来の画像処理装置では、マルチビームセンサにて原稿の副走査方向のサイズを検知しているので、単一波長の光しか検出できず、地色がある原稿については正確なサイズを検知できないという問題がある。
【０００６】
また、画像読み取り用のＣＣＤを用いて原稿の主走査方向のサイズを検知しているので、プラテンカバーが開いた状態では、原稿のサイズを検知できない。よって、プラテンカバーを閉じないと原稿範囲外の領域を検出できないので、プラテンカバーを開けたままで原稿範囲外の領域に白マスク処理を施すこと（スカイショットとも称される）が行えないという問題がある。この結果、プラテンカバーを開いた状態では、記録した用紙の端部が黒くなってしまうという問題がある。
【０００７】
本発明は斯かる事情に鑑みてなされたものであり、地色がある原稿についてもその正確なサイズを検知できる画像処理装置を提供することを目的とする。
【０００８】
本発明の他の目的は、プラテンカバーが開いている場合でも、原稿の正確なサイズを検知できて、スカイショットを実行でき、記録した用紙の端部が黒くなることを防止できる画像処理装置を提供することにある。
【課題を解決するための手段】
【０００９】
第１発明に係る画像処理装置は、原稿台に載置された原稿に光源から光を照射して原稿の画像を読み取り、原稿の領域外に白マスク処理を行う画像処理装置において、原稿のサイズを検知するためのカラーセンサと、前記光源の点灯前に前記カラーセンサで得られた第１検知結果、及び、前記光源の点灯後に前記カラーセンサで得られた第２検知結果の比較結果に基づいて、原稿の領域外の白マスク処理の可否を制御する制御手段とを備えることを特徴とする。
【００１０】
第１発明の画像処理装置にあっては、カラーセンサにて原稿のサイズを検知し、その検知結果に基づいて原稿の領域外の白マスク処理を行う。よって、例えばＲ，Ｇ，Ｂの色成分をカラーセンサにて検出するので、地色がある原稿についても正確なサイズを検知する。
【００１１】
第２発明に係る画像処理装置は、前記制御手段が、前記第１検知結果及び第２検知結果が一致する場合に、白マスク処理を可とするようにしてあることを特徴とする。
【００１２】
第２発明の画像処理装置にあっては、光源を点灯する前のカラーセンサによるサイズ検知結果と光源を点灯した後のカラーセンサによるサイズ検知結果とが一致する場合に、原稿の領域外の白マスク処理を行う。よって、白マスク処理の対象となる原稿の領域外を正確に検知して、記録した用紙の端部が黒くなることはない。
【００１３】
第３発明に係る画像処理装置は、原稿台に載置された原稿を覆う開閉自在のカバー体を備えており、前記カバー体が開いている状態で、前記カラーセンサは原稿のサイズを検知するようにしてあることを特徴とする。
【００１４】
第３発明の画像処理装置にあっては、カバー体（プラテンカバー）が開いている状態でカラーセンサを用いて原稿のサイズを検知する。よって、カバー体（プラテンカバー）が開いている状態にあって、原稿サイズの検知及びスカイショットの実行が可能である。
【発明の効果】
【００１５】
本発明では、カラーセンサにて原稿のサイズを検知し、その検知結果に基づいて原稿の領域外の白マスク処理を行うようにしたので、地色がある原稿についても正確なサイズを検知することができる。
【００１６】
また本発明では、光源点灯前後におけるカラーセンサでのサイズ検知結果が一致する場合に、白マスク処理を可とするようにしたので、白マスク処理の対象となる原稿の領域外を正確に検知できて、記録した用紙の端部が黒くなることを防止できる。
【００１７】
また本発明では、カバー体（プラテンカバー）が開いている状態でカラーセンサを用いて原稿のサイズを検知するようにしたので、カバー体（プラテンカバー）が開いている状態にあって、原稿のサイズを検知できるとともに、スカイショットを実行することができる。
【発明を実施するための最良の形態】
【００１８】
以下、本発明をその実施の形態を示す図面を参照して具体的に説明する。図１は、本発明の画像処理装置の一例の要部を示す構成図である。
【００１９】
画像処理装置は、原稿Ｄを載置する原稿台としてのプラテンガラス１と、プラテンガラス１に対して開閉自在のカバー体としてのプラテンカバー２とを備えている。プラテンカバー２が閉じられた際に、プラテンカバー２はプラテンガラス１を覆って、外光がプラテンガラス１に入射されないようになっている。
【００２０】
プラテンガラス１の下方には、原稿Ｄの画像を読み取るための光学系が設けられている。光学系は、光源ユニット１１、ミラーユニット１２及び読取ユニット１３を有しており光源ユニット１１及びミラーユニット１２を利用することにより、プラテンガラス１上に載置された原稿の画像を読取ユニット１３に読み取らせる。読取ユニット１３は、結像レンズ１３ａ及びＣＣＤ１３ｂを有しており、光源ユニット１１及びミラーユニット１２を通過した原稿Ｄからの反射光を、結像レンズ１３ａを介して読取用ラインセンサとしてのＣＣＤ１３ｂに結像させている。
【００２１】
光源ユニット１１は、プラテンガラス１（原稿Ｄ）へ光を照射する光源としての露光ランプ１１ａと、原稿Ｄからの反射光を反射するミラー１１ｂとを有している。ミラーユニット１２は、光源ユニット１１のミラー１１ｂで光路を９０°変更された光の光路を更に１８０°変更するために反射面が互いに直交するように配置された一対のミラー１２ａ，１２ｂを有している。光源ユニット１１及びミラーユニット１２は、プラテンガラス１の面と平行に矢符方向（副走査方向）に、モータ１４によって移動し、この移動によって、プラテンガラス１上に載置されている原稿Ｄの画像を読み取ることができる。
【００２２】
画像処理装置は、上述したような各構成部材（露光ランプ１１ａ、モータ１４など）の動作を制御するための画像処理部１６を備えている。画像処理部１６には、ＣＣＤ１３ｂで結像された反射光のレベルを表すアナログの画像信号が入力され、画像処理部１６は、この画像信号にオフセットレベルの調整を行ってデジタル信号に変換した後、シェーディング補正などの処理を施す。
【００２３】
また、プラテンガラス１の下方には、プラテンガラス１上に載置された原稿Ｄのサイズを検知するための複数のカラーセンサ１５が設けられている。カラーセンサ１５は、Ｒ成分，Ｇ成分，Ｂ成分夫々に感度を持つ３チャンネルのフォトダーオードにて構成されている。カラーセンサ１５の各フォトダーオードでの各色成分光の吸収により生じるアナログの光電流が、画像処理部１６に入力されてデジタル変換される。そして、Ｒ成分，Ｇ成分，Ｂ成分夫々の光電流が電圧に変換され、２つの色成分間の電圧レベル差によって原稿Ｄの色が検知され、各色成分の電圧レベルに応じて原稿Ｄの有無が検知される。
【００２４】
図２は、これらのカラーセンサ１５の配置例を示す平面図である。主走査方向に４個（１５ａ〜１５ｄ）、副走査方向に１個（１５ｅ）の計５個のカラーセンサ１５が、定型サイズの原稿を検出できる位置に設けられており、画像処理部１６は、これらの各カラーセンサの検出結果に基づいて、原稿のサイズを検知する。図３は、これらの５個のカラーセンサ１５ａ〜１５ｅの検出結果に基づく原稿サイズの検知結果を示す図表である。図３において、○：原稿検出は、そのカラーセンサの検出領域に原稿が存在することを検出したことを意味し、×：原稿非検出は、そのカラーセンサの検出領域に原稿が存在することを検出しなかったことを意味している。
【００２５】
また、画像処理部１６は、このようにして検知した原稿Ｄのサイズに基づいて、原稿領域外に白マスク処理を施して、つまり、原稿領域外の全ての画素データを白データに設定して、プリント用の画像信号を得る。画像処理部１６は、後述するような動作処理を行うことにより、白マスク処理の可否を制御する制御手段として機能する。
【００２６】
本発明では、カラーセンサ１５にて原稿の主走査方向及び副走査方向のサイズを検知するので、地色が付いた原稿に対しても、正確なサイズを検知することが可能である。また、プラテンカバー２が開いていても、カラーセンサ１５を用いて原稿の正確なサイズを検知でき、スカイショットを実行できる。このように、従来ではプラテンカバーを閉じないと実現できなかった原稿サイズの検知及びスカイショットを、プラテンカバーを開けた状態で実現することが可能となる。よって、例えば分厚い書籍を読み取る場合など、プラテンカバーを所定の閉鎖位置まで閉じることができない状況であっても、プリントした用紙の端部が黒くなることを防止できる。なお、従来例でサイズ検知に用いていたマルチビームセンサをカラーセンサに置き換えて、本発明の画像処理装置を構成できるので、コストの上昇を招いたり、センサの設置面積が増加したりすることはない。
【００２７】
図４は、本発明の画像処理装置における動作手順の一例を示すフローチャートである。原稿がプラテンガラス１に載置されると、露光ランプ１１ａを点灯させないで、カラーセンサ１５（１５ａ〜１５ｅ）の検出結果に基づいて、原稿の主走査方向及び副走査方向のサイズを検知する（ステップＳ１）。次いで、読み取り開始の指示が入力されたか否かを判断する（ステップＳ２）。読み取り開始の指示が入力されない場合には（Ｓ２：ＮＯ）、その入力の監視を続ける。
【００２８】
読み取り開始の指示が入力された場合（Ｓ２：ＹＥＳ）、プラテンカバー２が開いているか否かを判断する（ステップＳ３）。開いていない場合には（Ｓ３：ＮＯ）、スカイショットを実行する必要がないので、露光ランプ１１ａを点灯して原稿の読み取り処理を開始して（ステップＳ１１）、動作を終了する。
【００２９】
プラテンカバー２が開いている場合には（Ｓ３：ＹＥＳ）、原稿領域外に白マスク処理を施すスカイショットモードをオンとした後（ステップＳ４）、露光ランプ１１ａを点灯して原稿の読み取り処理を開始する（ステップＳ５）。そして、露光ランプ１１ａを点灯させた状態で、カラーセンサ１５（１５ａ〜１５ｅ）の検出結果に基づいて、原稿の主走査方向及び副走査方向のサイズを検知する（ステップＳ６）。
【００３０】
Ｓ１で得られた露光ランプ１１ａ非点灯時の原稿サイズの検知結果と、Ｓ６で得られた露光ランプ１１ａ点灯時の原稿サイズの検知結果とを比較し（ステップＳ７）、両検知結果が一致するか否かを判断する（ステップＳ８）。
【００３１】
両検知結果が一致する場合には（Ｓ８：ＹＥＳ）、原稿領域外に白マスク処理を施して（ステップＳ９）、動作を終了する。両検知結果が一致しない場合には（Ｓ８：ＮＯ）、白マスク処理を施さずに（ステップＳ１０）、動作を終了する。
【００３２】
本発明では、非点灯時のサイズ検知結果と点灯時のサイズ検知結果とが一致する場合にのみ、原稿領域外の白マスク処理（スカイショット）を行うようにしているので、常に正確な位置で白マスク処理を施せるため、プリントされた用紙の端部が黒くなることを確実に防止できる。
【００３３】
なお、上述した実施の形態では、カラーセンサのための光源として露光ランプ１１ａを用いるようにしたが、カラーセンサ専用の光源を備えるようにしても良い。この場合にも、上述した実施の形態と同様に、カラーセンサ専用の光源を点灯する前のカラーセンサの検出結果と、カラーセンサ専用の光源を点灯した後のカラーセンサの検出結果とに基づいて、原稿のサイズを検知する。
【図面の簡単な説明】
【００３４】
【図１】本発明の画像処理装置の一例の要部を示す構成図である。
【図２】カラーセンサの配置例を示す平面図である。
【図３】カラーセンサの検出結果に基づく原稿サイズの検知結果を示す図表である。
【図４】本発明の画像処理装置における動作手順の一例を示すフローチャートである。
【符号の説明】
【００３５】
１  プラテンガラス（原稿台）
２  プラテンカバー（カバー体）
１１ａ  露光ランプ（光源）
１３ｂ  ＣＣＤ
１５，１５ａ〜１５ｅ  カラーセンサ
１６  画像処理部（制御手段）
Ｄ  原稿
【図１】
2006313967.tif 000003
【図２】
2006313967.tif 000004
【図３】
2006313967.tif 000005
【図４】
2006313967.tif 000006